(57)【特許請求の範囲】
【請求項１】
走査電極とこの走査電極に交差するデータ電極との交点に設けられた電気光学素子がマトリックス状に配置されてなる表示部を有するとともに、この表示部がデータ電極の延在方向に多分割された表示パネルと、走査電極を駆動するための走査電極ドライバと、各分割表示部毎に備えられて、対応する分割表示部のデータ電極を駆動するための複数のデータ電極ドライバとからなる表示装置において、
前記走査電極ドライバは、表示部の走査電極延在方向に位置する辺側に配置され、
前記データ電極は、各分割表示部毎に独立して設けられ、
各分割表示部に対応する前記複数のデータ電極ドライバは、表示部のデータ電極延在方向に対向する２辺のいずれか１辺側にまとめて配置されており、データ電極ドライバに最も近い位置ではない分割表示部は、そのデータ電極が、表示部外で引き回された外部配線によってデータ電極ドライバと接続されていることを特徴とする表示装置。
【請求項２】
前記複数のデータ電極ドライバは１チップ化されており、この１チップ化されたデータ電極ドライバと前記データ電極ドライバに最も近い位置にある分割表示部のデータ電極とを接続する外部配線と、前記表示部外で引き回された外部配線とは、前記１チップ化されたデータ電極ドライバとの接続部分において交互に配置されている請求項１に記載の表示装置。
【請求項３】
走査電極とこの走査電極に交差するデータ電極との交点に設けられた電気光学素子がマトリックス状に配置されてなる表示部を有するとともに、この表示部がデータ電極の延在方向に多分割された表示パネルと、走査電極を駆動するための走査電極ドライバと、各分割表示部毎に備えられて、対応する分割表示部のデータ電極を駆動するための複数のデータ電極ドライバとからなる表示装置において、
前記走査電極ドライバは、表示部の走査電極延在方向に位置する辺側に配置され、
前記データ電極は、各分割表示部毎に独立して設けられ、
各分割表示部に対応する前記複数のデータ電極ドライバは、表示部のデータ電極延在方向に対向する２辺のいずれか１辺側にまとめて配置されており、データ電極ドライバに最も近い位置ではない分割表示部は、そのデータ電極が、表示部内で引き回された内部配線を介してデータ電極ドライバと接続されていることを特徴とする表示装置。
【請求項４】
前記内部配線は、データ電極ドライバに最も近い位置にある分割表示部のデータ電極と、同一層において並列に設けられている請求項３に記載の表示装置。
【請求項５】
前記内部配線は、データ電極ドライバに最も近い位置にある分割表示部のデータ電極と層状をなして設けられている請求項３に記載の表示装置。
【請求項６】
前記内部配線、及びデータ電極ドライバに最も近い位置ではない分割表示部のデータ電極は、データ電極ドライバに最も近い位置にある分割表示部のデータ電極よりも横断面積が広くされている請求項３〜５のいずれかに記載の表示装置。
【請求項７】
前記複数のデータ電極ドライバは１チップ化されており、この１チップ化されたデータ電極ドライバと前記データ電極ドライバに最も近い位置にある分割表示部のデータ電極とを接続する外部配線と、前記１チップ化されたデータ電極ドライバと前記内部配線とを接続する外部配線とは、前記１チップ化されたデータ電極ドライバとの接続部分において交互に配置されている請求項３〜６のいずれかに記載の表示装置。
【請求項８】
前記表示部は、データ電極の延在方向に２分割されている請求項１〜７のいずれかに記載の表示装置。
【請求項９】
前記電気光学素子は、走査電極とデータ電極との間に有機エレクトロルミネッセンス層を備えてなる有機エレクトロルミネッセンス素子である請求項１〜８のいずれかに記載の表示装置。
【発明の詳細な説明】
【０００１】
【発明の属する技術分野】
本発明は、例えば、有機エレクトロルミネッセンス（以下、単に有機ＥＬという）素子等の電気光学素子を用いた表示装置に関する。
【０００２】
【従来の技術】
この種の表示装置としては、例えば、図６に示すような２分割走査タイプのものが存在する。すなわち、表示パネル１０１は、ガラス基板１０２の上に表示部１０３を有している。表示部１０３は、走査電極１０４とデータ電極１０５との交点に設けられた有機ＥＬ素子１０６がマトリックス状に配置されてなる。表示部１０３は、上方側の第１分割表示部１０３Ａと下方側の第２分割表示部１０３Ｂとに２分割されている。
【０００３】
走査電極ドライバ１０７，１０８は、各分割表示部１０３Ａ，１０３Ｂ毎に備えられており、対応する分割表示部１０３Ａ，１０３の走査電極１０４を駆動する。データ電極ドライバ１０９，１１０は、各分割表示部１０３Ａ，１０３Ｂ毎に備えられており、対応する分割表示部１０３Ａ，１０３Ｂのデータ電極１０５を駆動する。
【０００４】
【発明が解決しようとする課題】
ところが、図６の技術においては、第１分割表示部１０３Ａに対応したデータ電極ドライバ１０９のＩＣが、ガラス基板１０２上において表示部１０３の上辺１０３ａ側に実装されている。また、第２分割表示部１０３Ｂに対応したデータ電極ドライバ１１０のＩＣが、ガラス基板１０２上において表示部１０３の下辺１０３ｂ側に実装されている。つまり、二つのデータ電極ドライバ１０９，１１０のＩＣは、ガラス基板１０２上において互いに離れた位置に実装されている。
【０００５】
従って、外部からガラス基板１０２に対するアクセスが複雑となり、各データ電極ドライバ１０９，１１０のＩＣ毎に外部から専用の配線を行なう必要があった。つまり、図６の態様においては、各ドライバ１０９，１１０毎にＦＰＣ（Flexible Print Circuit）１１１，１１２が実装されている。よって、配線工数及び配線部品点数が増大し、表示装置のコストが上昇する問題を生じていた。
【０００６】
本発明の目的は、外部から複数のデータ電極ドライバへの配線構造を簡単にできる表示装置を提供することにある。
【０００７】
【課題を解決するための手段】
上記目的を達成するために各請求項の発明では、表示部がデータ電極の延在方向に多分割された表示装置において、データ電極が各分割表示部毎に独立して設けられ、各分割表示部に対応する複数のデータ電極ドライバが表示部の１辺側にまとめて配置されている。従って、外部からのアクセスが簡単となり、外部から複数のデータ電極ドライバへの配線構造を簡単にできる。よって、表示装置の製造コストを削減することができる。
請求項１の発明では、データ電極が各分割表示部毎に独立して設けられ、各分割表示部に対応する前記複数のデータ電極ドライバは、表示部のデータ電極延在方向に対向する２辺のいずれか１辺側にまとめて配置されている。データ電極ドライバに最も近い位置ではない分割表示部は、そのデータ電極が、表示部外で引き回された外部配線によってデータ電極ドライバと接続されている。つまり、外部配線は、表示部を構成するデータ電極や走査電極の積層構造に干渉することなく配置されている。従って、外部配線及び表示部を、それぞれの都合を優先して設計することが可能となる。
請求項３の発明では、データ電極が各分割表示部毎に独立して設けられ、各分割表示部に対応する前記複数のデータ電極ドライバは、表示部のデータ電極延在方向に対向する２辺のいずれか１辺側にまとめて配置されている。データ電極ドライバに最も近い位置ではない分割表示部は、そのデータ電極が、表示部内で引き回された内部配線を介してデータ電極ドライバと接続されている。従って、表示部の周囲において複雑に配線を引き回す必要がなく、表示パネルの上下左右方向への大型化を防止することができる。
【０００８】
請求項２，７の発明は、前記複数のデータ電極ドライバは１チップ化されている。従って、部品点数を少なくでき、さらに表示装置の製造コストを削減することができる。
【００１２】
請求項４の発明は、前記内部配線は、データ電極ドライバに最も近い位置にある分割表示部のデータ電極と、同一層において並列に設けられている。従って、表示パネルの厚み方向への大型化を防止することができる。
【００１３】
請求項５の発明は、前記内部配線は、データ電極ドライバに最も近い位置にある分割表示部のデータ電極と層状をなして設けられている。従って、表示部においてはデータ電極を密に配置することができ、高密度な表示が可能となる。
【００１４】
請求項６の発明は、前記内部配線、及びデータ電極ドライバに最も近い位置ではない分割表示部のデータ電極は、データ電極ドライバに最も近い位置にある分割表示部のデータ電極よりも横断面積が広くされている。従って、例えば、データ電極及び内部配線に抵抗率の大きなＩＴＯを用いた場合においても、データ電極ドライバから遠い位置にある分割表示部のデータ電極を確実に駆動することができる。
【００１５】
請求項８の発明は、表示部の分割の一態様を限定するものである。すなわち、前記表示部は、データ電極の延在方向に２分割されている。
請求項９の発明は、電気光学素子の一態様を限定するものである。すなわち、前記電気光学素子は、走査電極とデータ電極との間に有機ＥＬ層を備えてなる有機ＥＬ素子である。
【００１６】
【発明の実施の形態】
以下、本発明を有機ＥＬ表示装置において具体化した第１〜第３実施形態について詳述する。なお、第２及び第３実施形態においては第１実施形態との相違点についてのみ説明し、同一又は相当部材には同じ番号を付して説明を省略する。
【００１７】
○第１実施形態
図１（ａ）及び図２に示すように、有機ＥＬ表示装置１１は、ガラス基板１２の背面１２ａに表示部１３が設けられた表示パネル１４を有している。表示部１３は、電気光学素子としての有機ＥＬ素子１５を複数有しており、各有機ＥＬ素子１５は、ガラス基板１２の背面１２ａ側から順に、データ電極（陽極）１６、有機ＥＬ層１７、走査電極（陰極）１８が積層されてなる。データ電極１６は、透明性を有する材料、例えばＩＴＯ（インジウム錫酸化物）からなっている。有機ＥＬ層１７は周知の有機ＥＬ材料からなっている。
【００１８】
図１（ｂ）及び図２に示すように、前記データ電極１６は、図１（ｂ）の上下方向に延びる複数の平行なストライプ状に形成されている。走査電極１８は、図１（ｂ）の左右方向に延びる複数の平行なストライプ状に形成されている。有機ＥＬ層１７は、図示しない絶縁性の隔壁により隔てられた状態で、データ電極１６と直交する方向に延びる複数の平行なストライプ状に形成されている。データ電極１６及び走査電極１８は互いに交差する状態に配設されており、複数の有機ＥＬ素子１５は、両電極１６，１８の交差部分においてガラス基板１２の背面１２ａの上にマトリックス状に配置されている。つまり、有機ＥＬ表示装置１１は、パッシブ・マトリックス型である。
【００１９】
前記表示部１３は、上方側の第１分割表示部１３Ａと下方側の第２分割表示部１３Ｂとに２分割されている。従って、走査電極１８は、第１分割表示部１３Ａに対応する上方側の群と第２分割表示部１３Ｂに対応する下方側の群とに分けられている。また、表示部１３の１つのデータラインを構成するデータ電極１６は、各分割表示部１３Ａ，１３Ｂに対応して、表示部１３の上下にそれぞれ独立して配置されている。
【００２０】
図１（ａ）及び図１（ｂ）に示すように、前記第１分割表示部１３Ａの走査電極１８を駆動する第１走査電極ドライバ１９、及び第２分割表示部１３Ｂの走査電極１８を駆動する第２走査電極ドライバ２０の各ＩＣは、ＣＯＦ（Chip On Film）３０としてガラス基板１２に実装されている。そして、各走査電極ドライバ１９，２０が表示コントローラ２１からの指令に基づいて動作されることで、第１分割表示部１３Ａの走査電極１８群と、第２分割表示部１３Ｂの走査電極１８群とが、例えば１走査電極１８ずつ同時かつ順次に選択され駆動される。
【００２１】
さて、本実施形態においては、第１分割表示部１３Ａのデータ電極１６を駆動する第１データ電極ドライバ２２と、第２分割表示部１３Ｂのデータ電極１６を駆動する第２データ電極ドライバ２３とが、データ電極ドライバＩＣ２４として１チップ化されている。データ電極ドライバＩＣ２４は、表示部１３の上辺１３ａ側において、ＣＯＧ（Chip On Grass）としてガラス基板１２の背面１２ａに実装されている。つまり、二つのデータ電極ドライバ２２，２３は、表示部１３の上辺１３ａ側にまとめて配置されている。
【００２２】
前記ガラス基板１２の上縁部には、データ電極ドライバＩＣ２４の各データ電極ドライバ２２，２３を表示コントローラ２１に接続するＦＰＣ２５が実装されている。データ電極ドライバＩＣ２４の第１データ電極ドライバ２２と第１分割表示部１３Ａのデータ電極１６とは、ガラス基板１２にプリントされた第１配線２６を介して接続されている。
【００２３】
前記データ電極ドライバＩＣ２４の第２データ電極ドライバ２３と第２分割表示部１３Ｂのデータ電極１６とは、ガラス基板１２にプリントされた、金属材料（例えば銅）からなる第２配線２７によって接続されている。第２配線２７は、データ電極ドライバＩＣ２４から表示部１３を右側方（言い換えればＣＯＦ３０とは反対側）に避けて下方に延在し、表示部１３の下辺１３ｂ側にて、対応するデータ電極１６の下端に接続されている。つまり、分割表示部１３Ａ，１３Ｂのうち、データ電極ドライバＩＣ２４に最も近い位置ではない第２分割表示部１３Ｂは、そのデータ電極１６が、表示部１３外で引き回された、外部配線たる第２配線２７によってデータ電極ドライバＩＣ２４に接続されている。
【００２４】
そして、前記各データ電極ドライバ２２，２３が表示コントローラ２１からの画面表示データに基づいて動作されることで、第１及び／又は第２分割表示部１３Ａ，１３Ｂのデータ電極１６が駆動される。従って、各走査電極ドライバ１９，２０によって駆動される走査電極１８と、各データ電極ドライバ２２，２３によって駆動されるデータ電極１６との交差部分に位置する有機ＥＬ素子１５が、ガラス基板１２側へ発光される。その結果、表示コントローラ２１が指令する画面表示データに応じた画素の表示が、各分割表示部１３Ａ，１３Ｂにおいてなされる。
【００２５】
上記構成の本実施形態においては、次のような効果を奏する。
（１）複数のデータ電極ドライバ２２，２３は、表示部１３の上辺１３ａ側にまとめて配置されている。従って、外部からのアクセスが簡単となり、表示コントローラ２１から複数のデータ電極ドライバ２２，２３への配線構造を簡単にできる（本実施形態においては単純形状のＦＰＣ２５が一つ）。よって、有機ＥＬ表示装置１１の製造コストを削減することができる。
【００２６】
（２）複数のデータ電極ドライバ２２，２３は、データ電極ドライバＩＣ２４として１チップ化されている。従って、部品点数を少なくでき、さらに有機ＥＬ表示装置１１の製造コストを削減することができる。
【００２７】
（３）第２分割表示部１３Ｂは、そのデータ電極１６が、表示部１３外で引き回された第２配線２７によってデータ電極ドライバ２３と接続されている。つまり、第２配線２７は、表示部１３を構成するデータ電極１６や走査電極１８等の積層構造に干渉することなく配置されている。従って、第２配線２７及び表示部１３を、それぞれの都合を優先して設計することが可能となる。よって、例えば第２配線２７を抵抗率の小さな金属材料により構成することができ、第２分割表示部１３Ｂのデータ電極１６を確実に駆動することができる。また、表示部１３においてはデータ電極１６を密に配置することができ、高密度な表示が可能となる。
【００２８】
○第２実施形態
図３及び図４においては第２実施形態を示す。本実施形態においては、データ電極ドライバＩＣ２４（第２データ電極ドライバ２３）と第２分割表示部１３Ｂのデータ電極１６とが、第１分割表示部１３Ａ内で引き回された内部配線３５を介して接続されている。なお、図３においては、理解を容易とするために、データ電極１６及び内部配線３５のみを示す。
【００２９】
すなわち、前記内部配線３５は、第１分割表示部１３Ａ内においてガラス基板１２の背面１２ａの上に形成されている。内部配線３５はＩＴＯからなっている。内部配線３５は、第１分割表示部１３Ａ内においてデータ電極１６と互い違いに配置されている。つまり、内部配線３５は、データ電極ドライバＩＣ２４に最も近い位置にある第１分割表示部１３Ａのデータ電極１６と、同一層において並列に設けられている。なお、内部配線３５は、第１分割表示部１３Ａと第２分割表示部１３Ｂとの境界付近においてクランク状に屈曲することで、第２分割表示部１３Ｂのデータ電極１６の上端に接続されている。
【００３０】
前記内部配線３５と有機ＥＬ層１７との間には、透明な樹脂材料からなる絶縁層３６が配置されている。従って、第１分割表示部１３Ａにおいて、走査電極１８と内部配線３５との間で電流が流れることを防止できる。内部配線３５及び第２分割表示部１３Ｂのデータ電極１６には、第１分割表示部１３Ａのデータ電極１６よりも横断面積の広いものが用いられている。
【００３１】
なお、前記第２分割表示部１３Ｂの横断面形状は、データ電極１６の横断面積が広いこと以外は、上記第１実施形態の図２と同様に表れる。
本実施形態においては、上記第１実施形態の（１）及び（２）と同様な効果を奏する。その他にも次のような効果を奏する。
【００３２】
（１）第２分割表示部１３Ｂは、そのデータ電極１６が、表示部１３内で引き回された内部配線３５を介して第２データ電極ドライバ２３と接続されている。従って、表示部１３の周囲において複雑に配線を引き回す必要がなく、表示パネル１４の上下左右方向への大型化を防止することができる。
【００３３】
（２）内部配線３５は、第１分割表示部１３Ａのデータ電極１６と、同一層において並列に設けられている。従って、表示パネル１４の厚み方向への大型化を防止することができる。
【００３４】
（３）内部配線３５及び第２分割表示部１３Ｂのデータ電極１６は、第１分割表示部１３Ａのデータ電極１６よりも横断面積が広くされている。従って、内部配線３５及び第２分割表示部１３Ｂのデータ電極１６に抵抗率の大きなＩＴＯを用いることによっても、第２分割表示部１３Ｂのデータ電極１６を確実に駆動することができる。
【００３５】
○第３実施形態
図５においては第３実施形態を示す。本実施形態においては、内部配線３５が、第１分割表示部１３Ａ内においてデータ電極１６と層状をなしている点が上記第２実施形態と異なる。すなわち、内部配線３５はガラス基板１２の背面１２ａの上に形成されており、データ電極１６は絶縁層３６を介して内部配線３５の上に積層されている。
【００３６】
本実施形態においては、上記第１実施形態の（１），（２）及び第２実施形態の（１），（３）と同様な効果を奏する。その他にも、内部配線３５は、第１分割表示部１３Ａのデータ電極１６と層状をなして設けられている。従って、表示部においてはデータ電極１６を密に配置することができ、高密度な表示が可能となる。
【００３７】
本発明の趣旨から逸脱しない範囲で、例えば以下の態様でも実施可能である。・上記各実施形態を変更し、各データ電極ドライバ２２，２３毎にチップ化すること。この場合においても、データ電極ドライバ２２，２３の各ＩＣを表示部１３の１辺側にまとめて配置することで、上記第１実施形態の（１）と同様な効果を奏する。
【００３８】
また、各分割表示部１３Ａ，１３Ｂのデータ電極ドライバ２２，２３をそれぞれ１チップで構成するのではなく、例えば、表示部１３が大型の場合には多チップで構成してもよい。この場合においても、全てのデータ電極ドライバチップを表示部１３の１辺側にまとめて配置することで、上記第１実施形態の（１）と同様な効果を奏する。
【００３９】
・上記各実施形態を変更し、データ電極ドライバＩＣ２４を、例えば、ガラス基板１２において表示部１３の右側方に実装すること。つまり、複数のデータ電極ドライバ２２，２３を、表示部１３の左右いずれか１辺側にまとめて配置すること。
【００４０】
・上記各実施形態を変更し、データ電極ドライバＩＣ２４をＣＯＦとしてガラス基板１２に実装すること。例えば、第１実施形態をこの態様に変更する場合、第２配線２７は、図１（ｂ）のようにガラス基板１２に設けて第２分割表示部１３Ｂのデータ電極１６まで引き回してもよい。或いは、第２配線２７をＣＯＦに設けて、このＣＯＦを第２分割表示部１３Ｂのデータ電極１６付近まで延在させてもよい。
【００４１】
・本発明は、表示部１３が上下方向に２分割された表示装置１１において具体化することに限定されるものではなく、例えば、表示部１３が上下方向に３、４、５或いは６分割された表示装置において具体化してもよい。
【００４２】
・本発明を、電気光学素子としての液晶素子を備えた表示装置において具体化すること。
上記実施形態から把握できる技術的思想について記載する。
【００４３】
・前記内部配線、及びデータ電極ドライバに最も近い位置ではない分割表示部のデータ電極には、それぞれＩＴＯが用いられている。
【００４４】
・前記走査電極ドライバは、各分割表示部毎に備えられて対応する分割表示部の走査電極を駆動する。
【００４５】
【発明の効果】
上記構成の本発明によれば、外部から複数のデータ電極ドライバへの配線構造を簡単にでき、表示装置の製造コストを削減することができる。
【図面の簡単な説明】
【図１】  （ａ）は表示パネルの背面図、（ｂ）は表示パネルの配線図。
【図２】  図１（ａ）の１−１線断面図。
【図３】  第２実施形態を示す表示パネルの配線図。
【図４】  図３の２−２線に対応した表示パネルの断面図。
【図５】  第３実施形態を示す表示パネルの第１分割表示部の断面図。
【図６】  従来の表示装置を示す図。
【符号の説明】
１１…表示装置としての有機ＥＬ表示装置、１３…表示部、１３Ａ…データ電極ドライバに最も近い位置にある分割表示部としての第１分割表示部、１３Ｂ…データ電極ドライバに最も近い位置ではない分割表示部としての第２分割表示部、１４…表示パネル、１５…電気光学素子としての有機ＥＬ素子、１６…データ電極、１７…有機ＥＬ層、１８…走査電極、１９…第１走査電極ドライバ、２０…第２走査電極ドライバ、２２…第１データ電極ドライバ、２３…第２データ電極ドライバ、２４…データ電極ドライバＩＣ、２７…外部配線たる第２配線、３５…内部配線。
【図１】
0004055423.tif 000002
【図２】
0004055423.tif 000003
【図３】
0004055423.tif 000004
【図４】
0004055423.tif 000005
【図５】
0004055423.tif 000006
【図６】
0004055423.tif 000007